(57)【要約】【課題】高圧出力時における接点の離間時に発生する放電ノイズを抑えること。【解決手段】低電位側スイッチング素子の動作タイミングを他方の低電位側スイッチング素子と異なるように低電位側スイッチング素子を制御するスイッチング素子制御部１２３と、複数のフレア現像ローラに対する高圧電源部１１４からの電圧の供給／遮断を行う出力接点接離部１２６と、出力接点接離部１２６を制御し、直流高圧電源の出力側に接触してフレア現像ローラにパルス電圧を印加する駆動動作と、低電位側スイッチング素子のオン動作期間時に、直流高圧電源の出力側とフレア現像ローラとを離間する動作と、の切り換えを行う切換制御部１２４と、を備える。【選択図】図４
2013160861.tif 000002
【特許請求の範囲】
【請求項１】
直流高圧電源の出力から、複数の高電位側スイッチング素子および低電位側スイッチング素子によりパルス電圧を生成して複数のフレア現像ローラに印加することでフレア現像を行う画像形成装置であって、
前記低電位側スイッチング素子の動作タイミングを他方の低電位側スイッチング素子と異なるように前記低電位側スイッチング素子を制御するスイッチング素子制御手段と、
前記複数のフレア現像ローラに対する前記直流高圧電源からの電圧の供給／遮断を行う電圧供給／遮断手段と、
前記電圧供給／遮断手段を制御し、前記直流高圧電源の出力側に接触して前記フレア現像ローラに前記パルス電圧を印加する駆動動作と、前記低電位側スイッチング素子のオン動作期間時に、前記直流高圧電源の出力側と前記フレア現像ローラとを離間する動作と、の切り換えを行う切換制御手段と、
を備えることを特徴とする画像形成装置。
【請求項２】
前記電圧供給／遮断手段は、前記直流高圧電源と前記フレア現像ローラとの電気的な接続／遮断を機械式接点によって行うことを特徴とする請求項１に記載の画像形成装置。
【請求項３】
前記低電位側スイッチング素子の動作時の電圧値は、グランド（ＧＮＤ）電位と同位であることを特徴とする請求項１に記載の画像形成装置。
【請求項４】
前記電圧供給／遮断手段は、駆動源として電磁力を用いることを特徴とする請求項２に記載の画像形成装置。
【請求項５】
前記電圧供給／遮断手段の機械式接点は、円筒形の表面に導電性部材と絶縁性部材を有する回転体でなることを特徴とする請求項２に記載の画像形成装置。
【請求項６】
前記電圧供給／遮断手段の機械式接点は、平面または曲率を有する形状であることを特徴とする請求項２に記載の画像形成装置。
【請求項７】
前記直流高圧電源の出力停止期間は、搬送される記録紙とこの記録紙の次の記録紙との紙間とすることを特徴とする請求項１に記載の画像形成装置。
【請求項８】
さらに、前記直流高圧電源の出力を行う際に、前記直流高圧電源の出力の立ち上がり時における信号振幅率を変更する信号振幅率変更手段を備えることを特徴とする請求項１に記載の画像形成装置。
【請求項９】
直流高圧電源の出力から、複数の高電位側スイッチング素子および低電位側スイッチング素子によりパルス電圧を生成して複数のフレア現像ローラに印加することでフレア現像を行う画像形成装置で実行される画像形成方法であって、
前記画像形成装置は、前記複数のフレア現像ローラに対する前記直流高圧電源からの電圧の供給／遮断を行う電圧供給／遮断手段を有し、
前記低電位側スイッチング素子の動作タイミングを他方の低電位側スイッチング素子と異なるように前記低電位側スイッチング素子を制御するスイッチング素子制御工程と、
前記電圧供給／遮断手段を制御し、前記直流高圧電源の出力側に接触して前記フレア現像ローラに前記パルス電圧を印加する駆動動作と、前記低電位側スイッチング素子のオン動作期間時に、前記直流高圧電源の出力側と前記フレア現像ローラとを離間する動作と、の切り換えを行う切換制御工程と、
を含むことを特徴とする画像形成方法。
【請求項１０】
直流高圧電源の出力から、複数の高電位側スイッチング素子および低電位側スイッチング素子によりパルス電圧を生成して複数のフレア現像ローラに印加することでフレア現像を行うコンピュータで実行されるプログラムであって、
前記コンピュータは、前記複数のフレア現像ローラに対する前記直流高圧電源からの電圧の供給／遮断を行う電圧供給／遮断手段を有し、
前記低電位側スイッチング素子の動作タイミングを他方の低電位側スイッチング素子と異なるように前記低電位側スイッチング素子を制御するスイッチング素子制御ステップと、
前記電圧供給／遮断手段を制御し、前記直流高圧電源の出力側に接触して前記フレア現像ローラに前記パルス電圧を印加する駆動動作と、前記低電位側スイッチング素子のオン動作期間時に、前記直流高圧電源の出力側と前記フレア現像ローラとを離間する動作と、の切り換えを行う切換制御ステップと、
を前記コンピュータに実行させるためのプログラム。
【発明の詳細な説明】
【技術分野】
【０００１】
本発明は、画像形成装置、画像形成方法およびプログラムに関する。
【背景技術】
【０００２】
従来、複写機などの電子写真方式の画像形成装置に用いられる現像方式の一つとして、トナーをクラウド化（ホッピングさせた状態、以下、フレア現像という）させる方式が知られている。このフレア現像方式においては、フレア現像ローラに逆相のパルス電圧を交互に印加して、充放電を繰り返すことで、印刷中はトナーがフレア現像ローラ上でホッピングした状態となり、トナーのクラウド化を実現している。
【０００３】
このような電子写真方式の画像形成装置では、現像バイアス、帯電バイアス、転写バイアスを発生する高圧電源を備えるものが既に知られている。その中で、近年では、トナーをクラウド状に浮遊させて感光体へ付着させるフレア現像方式が知られている（たとえば、特許文献１参照）。
【０００４】
また、記録材担持体と像担持体とが接離する技術として、記録材担持体が像担持体から離間した位置から転写材に像を転写するための位置へと変位するとき、像担持体や記録材担持体に生じる衝撃を防止でき、像担持体表面や記録材担持体表面の劣化を防止することのできる画像形成装置を提供する目的で、記録材担持体が像担持体との接離方法が開示されている（たとえば、特許文献２参照）。
【０００５】
図１６は、従来の高圧電源の構成を示すブロック図である。ＰＷＭ（Ｐｕｌｓｅ  Ｗｉｄｔｈ  Ｍｏｄｕｌａｔｉｏｎ）信号１〜４は、高圧出力させるための制御信号である。信号本数は４本、従来の構成としてＢｋ（ブラック）、Ｃ（シアン）、Ｍ（マゼンタ）、Ｙ（イエロ−）の４色にそれぞれ割り当てたものとなっている。高圧変換部５〜８は、ＰＷＭ信号１〜４からの制御信号により任意の電圧となるよう変圧し出力する機能を備えた部分である。高圧変換部は一般的な変圧器（トランス）である。
【発明の概要】
【発明が解決しようとする課題】
【０００６】
しかしながら、上記に示されるような従来の技術にあっては、フレア現像特有の作像プロセスシーケンスに同期した高圧出力シーケンスを行い、高圧出力時における接点の離間時に発生する放電ノイズが発生するという問題があった。
【０００７】
本発明は、上記に鑑みてなされたものであって、高圧出力時における接点の離間時に発生する放電ノイズを抑えることを目的とする。
【課題を解決するための手段】
【０００８】
上述した課題を解決し、目的を達成するために、本発明は、直流高圧電源の出力から、複数の高電位側スイッチング素子および低電位側スイッチング素子によりパルス電圧を生成して複数のフレア現像ローラに印加することでフレア現像を行う画像形成装置であって、前記低電位側スイッチング素子の動作タイミングを他方の低電位側スイッチング素子と異なるように前記低電位側スイッチング素子を制御するスイッチング素子制御手段と、前記複数のフレア現像ローラに対する前記直流高圧電源からの電圧の供給／遮断を行う電圧供給／遮断手段と、前記電圧供給／遮断手段を制御し、前記直流高圧電源の出力側に接触して前記フレア現像ローラに前記パルス電圧を印加する駆動動作と、前記低電位側スイッチング素子のオン動作期間時に、前記直流高圧電源の出力側と前記フレア現像ローラとを離間する動作と、の切り換えを行う切換制御手段と、を備えることを特徴とする。
【発明の効果】
【０００９】
本発明は、高圧出力が停止レベルのときに出力接点を離間するので、高圧出力時における接点の離間動作時に発生する放電ノイズを抑えることができるという効果を奏する。
【図面の簡単な説明】
【００１０】
【図１】図１は、実施の形態の画像形成装置を有するカラー画像形成システムの概要構成図である。
【図２】図２は、画像形成部を構成する作像部の一例を示す説明図である。
【図３】図３は、現像装置を構成するフレア現像ローラの詳細構成例、およびクラウドパルス信号を示す説明図である。
【図４】図４は、本実施の形態にかかる画像形成装置におけるフレア現像用電源部のシステム構成を示すブロック図である。
【図５】図５は、本実施の形態におけるフレア現像回路の一部であるブリッジ回路を示す図である。
【図６】図６は、動作シーケンスを示すタイミングチャートである。
【図７】図７は、図５および図６の物理的なスイッチの構成例（１）およびスイッチＯＮ状態を示す説明図である。
【図８】図８は、図５および図６の物理的なスイッチの構成例（２）およびスイッチＯＮ状態を示す説明図である。
【図９】図９は、実施の形態にかかる画像形成装置の動作例（１）を示すフローチャートである。
【図１０】図１０は、図８を正面視としたとき右後方から斜視した例を示す説明図である。
【図１１】図１１は、実施の形態にかかる画像形成装置の動作例（２）を示すフローチャートである。
【図１２】図１２は、三角法に準拠し、回転部材に置き換わる接点形状の回転部材の例を示す説明図である。
【図１３】図１３は、図１２の導電領域が半分とした例を示す説明図である。
【図１４】図１４は、本実施の形態にかかる高圧出力動作例（１）を示すタイミングチャートである。
【図１５】図１５は、本実施の形態にかかる高圧出力動作例（２）を示すタイミングチャートである。
【図１６】図１６は、従来の高圧電源の構成を示すブロック図である。
【発明を実施するための形態】
【００１１】
以下に添付図面を参照して、この発明にかかる画像形成装置、画像形成方法およびプログラムの一実施の形態を詳細に説明する。
【００１２】
（実施の形態）
本実施の形態にかかる画像形成装置は、コピー機能、プリンタ機能、スキャナ機能およびファクシミリ機能のうち少なくとも２つの機能を有する一般に複合機と称されるものであって、原稿を読み取り画像データに変換する画像読取部と、画像読取部で原稿を読み取って得られた画像データに対して画像処理を施す画像処理部と、画像処理された画像データに基づき紙面に画像を形成する画像形成部（作像部）と、を備え、特に、フレア現像方式により現像を行うものである。
【００１３】
図１は、実施の形態の画像形成装置を有するカラー画像形成システムの概要構成図である。カラー画像形成システム１００は、大別すると、図示しないマイクロプロセッサ、ＲＯＭ、ＲＡＭ、外部記憶装置等を有するパーソナルコンピュータとして構成された情報端末装置１０１と、情報端末装置１０１により生成された印刷命令（印刷ジョブ）を通信ネットワーク１０２を介して受信し、プリンタなどとして構成されて、画像形成を行う画像形成装置１０３と、を備えている。
【００１４】
画像形成装置１０３の第１制御基板部１１１は、通信インタフェースを有し、通信ネットワーク１０２を介して情報端末装置１０１から受信した印刷命令に基づいて画像形成装置１０３全体を制御する。より具体的には、第１制御基板部１１１は、通信ネットワーク１０２を介して受信した印刷命令に基づいて、記録紙サイズ、印刷モード（モノクロモード／フルカラーモード）等を設定する。
【００１５】
ここで、第１制御基板部１１１は、図示しないＭＰＵ、ＲＯＭ、ＲＡＭなどを有するマイクロコンピュータとして構成されており、ＲＯＭに格納された制御プログラムに従って、画像形成装置１０３を制御している。第２制御基板部１１２は、第１制御基板部１１１の制御下で、設定された記録紙サイズ、印刷モード等に基づいて、第３制御基板部１１３を制御する実際の画像形成制御を行う。第３制御基板部１１３は、第２制御基板部１１２の制御下で、後述する高圧電源部１１４、図示しないモータ、ファンなどの駆動制御を行う。
【００１６】
高圧電源部１１４は、後述するブリッジ回路を有し、トナーを浮遊状態（ホッピング状態）とするための高圧パルス信号を生成し出力する。画像処理部１１５は、第１制御基板部１１１が設定し、出力した記録紙サイズ、印刷モード、印刷データ等を含む画像処理データに基づいて、図示しないレーザビームの駆動制御を行い、作像部を構成する感光体ドラム（像担持体）上に潜像を形成する。作像部１１６は、感光体ドラム上に形成された潜像を、高圧パルス信号に基づいて現像を行い、記録紙に転写して、定着させて出力する。
【００１７】
図２は、画像形成部を構成する作像部の一例を示す説明図である。まず、作像部１１６は、像担持体として機能する４つの感光体ドラム１０Ｙ，１０Ｍ，１０Ｃ，１０Ｋと、各感光体ドラム１０Ｙ，１０Ｍ，１０Ｃ，１０Ｋ上に形成した潜像を互いに異なる色のトナー像にそれぞれ現像するフレア現像ローラ１１ＤＲを有する複数の現像装置１１Ｙ，１１Ｍ，１１Ｃ，１１Ｋ（以下、これらを区別する必要がない場合には、単に現像装置１１と表記する。）と、異なる色のトナー像がそれぞれ重ね合わせ状態に一次転写される矢印Ａ方向に回転する像担持体としての中間転写ベルト１６とを備えている。
【００１８】
中間転写ベルト１６は、無端状のベルトである。本実施の形態では、中間転写ベルト１６の上方に、中間転写ベルト１６の回動方向Ａに沿って、ブラック，シアン，マゼンタ，イエローの各色用の４個の上述した感光体ドラム１０Ｙ，１０Ｍ，１０Ｃ，１０Ｋ（以下、それぞれを区別する必要が無い場合には、単に感光体ドラム１０と記載する）を並列にそれぞれ配置している。感光体ドラム１０の周囲には、帯電装置１２と、前述した現像装置１１と、一次転写装置を構成する一次転写ローラ１４と、クリーニング装置１３がそれぞれ配設されている。
【００１９】
感光体ドラム１０は、回転方向Ｂに回転駆動され、このとき帯電装置１２によって感光体ドラム１０の表面が所定の極性に帯電される。次いで、その帯電面に、露光装置１５から出射されるレーザ光が照射され、これによって感光体ドラム１０に静電潜像が形成され、その静電潜像が現像装置１１によって各色のトナー像として可視像化される。
【００２０】
各感光体ドラム１０には、一次転写ローラ１４がそれぞれ対向配置されていて、その各一次転写ローラ１４と感光体ドラム１０との間には中間転写ベルト１６が挟まれた状態で回動するようになっている。
【００２１】
このとき、中間転写ベルト１６は、駆動ローラ１７とテンションローラ１９の２個のローラによって支持されている。中間転写ベルト１６を３個以上のローラによって張架しても良いが、出来る限り小型化し、高さを抑制するため、本実施の形態では中間転写ベルト１６を２個のローラによって張架することで、高さを抑制している。
【００２２】
次に、その中間転写ベルト１６の表面に、各感光体ドラム１０に可視像化されたトナー像が、一次転写ローラ１４の作用によって転写される。このようにして、ブラック（Ｋ），シアン（Ｃ），マゼンタ（Ｍ），イエロー（Ｙ）のトナー像が、中間転写ベルト１６に正確に順次重ね合わせた状態で転写されていき、フルカラーの合成カラー画像が形成される。
【００２３】
一方、中間転写ベルト１６を挟んで、駆動ローラ１７（二次転写対向ローラ）に対向して二次転写ローラ１８が配設され、給紙ユニット２１から記録媒体である用紙Ｐが給紙される。これによりレジストローラ対２２の回転によって、用紙Ｐが所定のタイミングで、駆動ローラ１７と二次転写ローラ１８の間に送り込まれる。すると、中間転写ベルト１６に担持されている合成カラー画像が二次転写ローラ１８の作用により用紙Ｐに一括して転写される。
【００２４】
そして、その用紙Ｐ上のトナー像が、定着装置２３により熱と圧力によって定着され、図示しない排紙トレイ上に排出される。トナー像二次転写後の中間転写ベルト１６の表面に付着する転写残トナーは、クリーニング装置２０によって除去される。
【００２５】
なお、図２では、二次転写ローラを介して用紙に転写する方式の例を示したが用紙に直接転写する方式の画像形成部を用いてもよい。
【００２６】
本実施の形態では、この現像装置１１は、高容量のフレア現像ローラ１１ＤＲにフレア現像用の高圧電源部により交流電圧を印加することで、トナーをホッピングさせた状態で現像するフレア現像を行っている。
【００２７】
図３は、現像装置１１を構成するフレア現像ローラ１１ＤＲの詳細構成例、およびクラウドパルス信号を示す説明図である。現像装置１１Ｋ、１１Ｙ、１１Ｍ、１１Ｃのフレア現像ローラ１１ＤＲは、トナーをクラウド化するとともに、回転することでトナーの搬送を行っている。
【００２８】
フレア現像ローラ１１ＤＲは、図３（ａ）に示すように、一方の電極として構成される円柱状の芯金５１と、芯金５１に対して絶縁層５２を介して積層され、他方の電極が形成された電極層５３と、電極層５３に形成された電極を保護するために電極層５３を覆う表層５４と、を備えている。このようにフレア現像ローラ１１ＤＲは、一対の電極（芯金５１および電極層５３）との間に絶縁層５２が設けられているため、容量性負荷を形成することとなっている。
【００２９】
また、電極層５３を構成している電極５３Ａは、フレア現像ローラ１１ＤＲの回転方向とは直交する方向に延在するとともに、所定の間隔を配して、複数設けられている。ここで、芯金５１は、回転可能、かつ、図３（ａ）中、左右方向に摺動可能にリング状の一対の支持部材５５に支持されている。そしてさらに芯金５１は、トナーのクラウド化を行う場合に、芯金５１を所定動作位置に保持するために、弾性部材（スプリング、板ばね等）５６により図３（ａ）中、左方向に付勢されている。そして、高圧電源部１１４を構成する高圧変換部１２１により、図３（ｂ）の上部に示すように、最低値Ｖｍｉｎ、波高値Ｖｐｐを有するＡ相のクラウドパルス信号が電極層５３の電極５３Ａに印加され、図３（ｂ）の下部に示すようなＡ相とは逆相のＢ相のクラウドパルス信号が芯金５１に印加されて、トナーのクラウド状態を形成するようになっている。 
【００３０】
上述したようにフレア現像ローラ１１ＤＲ表面に、フレア現像ローラ１１ＤＲの回転方向と直交する方向に長く延びて所定の間隔で配設された複数の電極を有し、隣接する電極相互の間、または絶縁層を介して設けた下層の導体基材と電極相互の間に逆相のフレアパルスを印加することでトナーをクラウド化（雲状のイメージ）する。フレア現像ローラ１１ＤＲが回転移動することでトナーの搬送を行なわれ、感光体ドラム１０Ｙ，１０Ｍ，１０Ｃ，１０Ｋ上に形成された静電潜像を現像することで、トナー像が形成される。
【００３１】
図４は、本実施の形態にかかる画像形成装置１０３におけるフレア現像用電源部のシステム構成を示すブロック図である。この図４において、第３制御基板部１１３はスイッチング素子制御部１２３、切換制御部１２４、信号振幅率制御部１２５の機能を有するＣＰＵ１２０ａ，ＣＰＵ１２０ａの制御プログラムが格納されているＲＯＭ１２０ｂ，ワーキングメモリとしてのＲＡＭ１２０ｃを搭載する。
【００３２】
スイッチング素子制御部１２３は、後述するＦＥＴの低電位側スイッチング素子の動作タイミングを他方の低電位側スイッチング素子と異なるように低電位側スイッチング素子の動作タイミングを制御する。切換制御部１２４は、出力接点接離部１２６を制御し、高圧電源部１１４の出力側に接触してフレア現像ローラ１１ＤＲにパルス電圧を印加する駆動動作と、低電位側スイッチング素子のオン動作期間時に、高圧電源部１１４の出力側とフレア現像ローラ１１ＤＲとを離間する動作と、の切り換えを行う。信号振幅率制御部１２５は、後述するように高圧電源部１１４の出力を行う際に、高圧出力がソフトスタートとなるように信号振幅率を変更する。
【００３３】
高圧電源部１１４は、高圧変換部１２１、高電位側スイッチング素子と低電位側スイッチング素子によりパルス電圧を生成するブリッジ回路１２２を内蔵する。符号１２６は電圧供給／遮断手段としての出力接点接離部であり、接離スイッチ１２６ａ，１２６ｂ，１２６ｃを有する。現像装置１１は、先のフレア現像ローラ１１ＤＲに該当するローラ負荷１６Ｂｋ，１７Ｃ，１８Ｍ，１９Ｙを有する。
【００３４】
フレア現像ローラ１１ＤＲを有する現像装置１１にフレアパルス（クラウドパルス）を印加する高圧電源部１１４は、第３制御基板部１１３から発信される周波数制御信号、Ｖｐｐ制御信号、Ｖｍｉｎ制御信号によりクラウドパルスを発生する。各信号の制御対象は以下の通りである。
【００３５】
周波数制御信号：フレアパルスの周波数（信号Ｂ）
Ｖｐｐ制御信号：フレアパルスの波高値(信号Ｂ)
Ｖｍｉｎ制御信号：フレアパルスの最低値（信号Ｂ）
【００３６】
パルスの周波数やＶｐｐ制御信号、Ｖｍｉｎ制御信号は温湿度環境や画像濃度に応じて、最適なフレアパルスとなるように制御される。このようなフレア現像ローラ１１ＤＲは電極と電極の間に絶縁層を介するため容量性負荷を形成する。
【００３７】
第３制御基板部１１３から発信される信号のうち、ＰＷＭ  １ｃｈは、１本のＰＷＭ（Ｐｕｌｓｅ  Ｗｉｄｔｈ  Ｍｏｄｕｌａｔｉｏｎ）信号で４個の高圧出力を発生させるためのものである。なお、１ｃｈとは１チャンネルを意味する。図２においてはＢｋ（ブラック）色用のパルス信号であるＰＷＭ１、Ｃ（シアン）色用のパルス信号であるＰＷＭ２、Ｍ（マゼンタ）色用のパルス信号であるＰＷＭ３、Ｙ（イエロー）色用のパルス信号であるＰＷＭ４の４本が備わり、それを１本にした構成を図４で示している。
【００３８】
Ｖｐｐ制御信号は、フレア現像出力の電圧波高値を制御するものである。Ｖｐｐは図３（ｂ）に示すとおりである。Ｖｍｉｎ制御信号は、フレア現像出力のＯＦＦ状態をあらわす電圧波高（矩形波）値の最小値を制御するものである。したがって、Ｖｍｉｎ≒ＧＮＤと定義する。
【００３９】
高圧電源部１１４内にある高圧変換部１２１のブロック数は、前記ＰＷＭ信号に伴い１個とし、実質１回路分の変圧器で４本の出力を発生させる構成となっている。高圧変換部１２１は一般的な変圧器（トランス）である。なお、変圧器はボビンにニクロム線を巻いた所謂「巻線トランス」であってもよいし、あるいは、近年、薄型液晶ディスプレイ画面の高圧部に用いられている圧電セラミックを用いた所謂「圧電トランス」を用いてもよい。
【００４０】
ローラ負荷１６Ｂｋ、ローラ負荷１７Ｃ、ローラ負荷１８Ｍ、ローラ負荷１９Ｙは、前述のフレア現像ローラ１１ＤＲを指す。ローラ負荷１６Ｂｋの「Ｂｋ」とは、モノクロのブラック(Ｂｌａｃｋ)の略名であり、次いでローラ負荷１７Ｃの「Ｃ」は、シアン(Ｃｙａｎ)、ローラ負荷１８Ｍの「Ｍ」はマゼンタ(Ｍａｇｅｎｔａ)、ローラ負荷１９Ｙの「Ｙ」はイエロー（Ｙｅｌｌｏｗ）である。
【００４１】
接離スイッチが図示されているのは、上記ローラ負荷１６Ｂｋ、ローラ負荷１７Ｃ、ローラ負荷１８Ｍ、ローラ負荷１９Ｙのうち、ローラ負荷１７Ｃ、ローラ負荷１８Ｍ、ローラ負荷１９Ｙである。ローラ負荷１７Ｃには接離スイッチ１２６ａ、ローラ負荷１８Ｍには接離スイッチ１２６ｂ、ローラ負荷１９Ｙには接離スイッチ１２６ｃが付加されている。スイッチング素子制御部１２３は、ブリッジ回路１２２を駆動する。切換制御部１２４は、出力接点接離部１２６の接離スイッチ１２６ａ、接離スイッチ１２６ｂ、接離スイッチ１２６ｃを駆動する。なお、上記接離スイッチ１２６ａ，１２６ｂ，１２６ｃは、後述するように電気的接続を接触／離間する構造の機械的スイッチで構成する。
【００４２】
このように、画像形成装置１０３の電源系は、第３制御基板部１１３の制御下で高圧電源部１１４が負荷である現像装置１１Ｋ、１１Ｙ、１１Ｍ、１１Ｃのフレア現像ローラ１１ＤＲに高圧変換部１２１、ブリッジ回路１２２により生成したクラウドパルス信号を、出力接点接離部１２６を介して供給する構成となっている。この場合において、現像装置１１Ｙ、１１Ｍ、１１Ｃには、高圧変換部１２１が機械的接点である接離スイッチ１２６ａ，１２６ｂ，１２６ｃを介して接続されており、各現像装置１１Ｙ、１１Ｍ、１１Ｃのフレア現像ローラ１１ＤＲに対するクラウドパルス信号の供給／遮断を制御できる構成となっている。これは、印刷モードがモノクロモードである場合には、現像装置１１Ｙ、１１Ｍ、１１Ｃは使用する必要がないため、消費電力の低減を図るためには、これらの現像装置１１Ｙ、１１Ｍ、１１Ｃのフレア現像ローラ１１ＤＲを電気的に切り離して、クラウドパルス信号の供給を遮断するのが好ましいからである。
【００４３】
図５は、本実施の形態におけるフレア現像回路の一部であるブリッジ回路１２２を示したものである。符号Ｔ１はＶａ用高圧トランスであり、符号Ｔ２はＶｂ用高圧トランスである。符号Ｈ１、Ｌ４およびＨ３、Ｌ２はスイッチング素子である。Ｈ１、Ｌ４およびＨ３、Ｌ２をスイッチングする例は、一般的なＦＥＴ（Ｆｉｅｌｄ  Ｅｆｆｅｃｔ  Ｔｒａｎｓｉｓｔｏｒ：電界効果型トランジスタ）を指す。なお、スイッチング素子は、高圧リレー等のスイッチング部品であってもよい。ただし、これらをＯＮ／ＯＦＦさせるための信号については一般的なＨレベル（５Ｖ）、Ｌレベル(０Ｖ)等のディジタル信号とする。
【００４４】
このブリッジ回路１２２は、ＦＥＴ駆動による、高電位側トランジスタスイッチＨ１、Ｈ３および低電位側トランジスタスイッチＬ２、Ｌ４を備えている。ここで、高電位側トランジスタスイッチＨ１と、低電位側トランジスタスイッチＬ４と、は対となって動作しており、それぞれのゲート端子に制御信号が入力されることにより同時にオン（閉状態）／オフ（開状態）される。また、同様に高電位側トランジスタスイッチＨ３と、低電位側トランジスタスイッチＬ２と、は対となって動作しており、それぞれのゲート端子に制御信号が入力されることで同時にオン（閉状態）／オフ（開状態）される。したがって、容量性負荷としてのフレア現像ローラ１１ＤＲには、パルス電圧が印加されることとなる。以下、スイッチング素子としての上記高電位側トランジスタスイッチＨ１、Ｈ３および低電位側トランジスタスイッチＬ２、Ｌ４について、単にＨ１、Ｈ３、Ｌ２、Ｌ４と記述する。これらがそれぞれＨ１、Ｌ４およびＨ３、Ｌ２で対となり、スイッチング素子のオン（閉状態）／オフ（開状態）制御を行う（図４の信号Ｂ）。
【００４５】
本実施の形態では、これらのスイッチング素子のオン（閉状態：ＯＮ）／オフ（開状態：ＯＦＦ）シーケンスに重点をおいて説明する。太線矢印で示すＶａは、Ｈ１およびＬ４がＯＮとなった際のフレア現像出力におけるＡ相の電流イメージを示している。太破線矢印で示すＶｂも同様であり、スイッチング素子はＨ３およびＬ２である。
【００４６】
図５の回路図中央にあるコンデンサシンボルは、前述の図４で説明したローラ負荷を指す。前記ＶａおよびＶｂの電流が前記ローラ負荷Ｂｋまたはローラ負荷ＦＣへ流れる。なお、ローラ負荷ＦＣの「ＦＣ」とは、Ｙ，Ｍ，ＣのＦｕｌｌ  Ｃｏｌｏｒ（フルカラー）の略記である。また、図５中のコンデンサシンボルは、図４中のローラ負荷１７Ｃ、ローラ負荷１８Ｍ、ローラ負荷１９Ｙをひとつにまとめて表現したため、「ＦＣ」としている。
【００４７】
図６は、動作シーケンスを示すタイミングチャートである。この図６は本実施の形態の特徴となる負荷の接離タイミングを表しており、Ｈ１／Ｌ４およびＬ２／Ｈ３で１セットとしたシーケンス図を（ａ）と（ｂ）で示している。
【００４８】
図６（ａ）は、従来のシーケンス図であり、Ｈ１およびＬ４がＯＮ（パルス図のハイレベルの状態）し、所定の期間（α期間と称す）後にＬ２およびＨ３がＯＮする。なお、Ｈ１およびＬ４がＯＮで、図５のＶａとなる。次に、Ｈ１およびＬ４はＯＦＦとなり、Ｌ２およびＨ３がＯＮし、図５のＶｂとなる。この動作シーケンスが一連の流れであり、この動作シーケンスを交互に繰り返して現像トナーをフレア状に出力している。
【００４９】
この図６（ａ）に対し、図６（ｂ）では、Ｌ２およびＬ４のＯＮ期間が異なる。現象としては、Ｖａ⇒Ｖｂの間、Ｌ２およびＬ４を能動状態、すなわち、Ｖｍｉｎ出力を最小値（ＧＮＤレベルを同位）にしておくこととなり、これが特徴となる。具体的には、Ｈ１およびＬ４がＯＮまでは図６（ａ）と変わらないが、Ｈ１がＯＦＦした後にα期間を経てＬ２がＯＮし、さらにγ期間を経てからＨ３がＯＮする。
【００５０】
Ｌ４は、当該γ期間中ＯＮし続け、当該所定のγ期間終了後にＯＦＦする。このとき、Ａ１およびＡ２の区間が発生する。この間はＬ２およびＬ４が共にＯＮとなっており、図５に示すＬ２およびＬ４のスイッチング素子は導通した状態となる。すなわち、Ｖｂ用高圧トランスＴ２はＶｍｉｎ≒ＧＮＤ（グランドレベル）となり、そのときに限り高圧出力端子を安全に離間することができる。
【００５１】
これは、Ｖａ⇒Ｖｂの間、Ｌ２およびＬ４を能動状態、すなわち、Ｖｍｉｎ出力を最小値にしておくことで高圧出力はＧＮＤ（グランドレベル）と同位となるため、ＯＦＦ状態と等価になるからである。高圧出力がＯＦＦ状態となれば、好条件で高圧出力端子を離間することが可能となる。好条件とは、高圧特有のアーク放電等が発生しない安全な状態を意味する。安全とは、リーク等の発生回避のほか、画像出力のノイズによる異常画像等が発生することを防ぐことである。
【００５２】
図７は、図５および図６の物理的なスイッチの構成例（１）およびスイッチＯＮ状態を示す説明図である。前述のＬ２およびＬ４が能動状態となった期間のみ、図４に示した切換制御部１２４がはたらき、本図の部材が接離機能を果たす。
【００５３】
本例では部材移動装置として電磁力手段であるソレノイド６０を用いるものとする。ソレノイド６０は図４に示した切換制御部１２４からの制御信号を受け、ソレノイド６０内部に備える鉄心６０ａを移動させる機能を有する。たとえばソレノイド６０のように、電圧がかかったら電磁力で棒状の鉄心６０ａを磁化させて、フレア現像ローラ１１ＤＲ側へ移動する。
【００５４】
接点を備えた本体フレーム６１は、画像形成装置本体の一部であり、そこから突出させた形状にて接点６２を設けている。接点６２は図４に示す高圧電源出力とハーネスで接続されているものとする。接点６２は芯金５１と接離する構造となっており、図４に示した接離スイッチ１２６ａ，接離スイッチ１２６ｂ，接離スイッチ１２６ｃに該当する。
【００５５】
図示するように、電力供給回路からの電力供給を受けて、図７（ｂ）に示すように右方向に駆動されるとともに、電力供給が遮断されると、図７（ａ）に示すように待機位置に駆動されるソレノイド６０を備えている。
【００５６】
初期状態において、芯金５１の周面は、導電性の本体フレーム６１に物理的に接触しており、本体フレーム６１および接点２２を介して、高圧電源部１１４に電気的に接続されており、高圧電源部１１４の高圧変換部１２１からクラウドパルス信号の供給が可能な状態となっている。そして、接点接離部が上記初期状態において、電力供給回路からの電力供給を受けると、接点接離機能を有するソレノイド６０が、図７（ｂ）に示すように右方向に駆動される。この結果、現像装置１１のフレア現像ローラ１１ＤＲ芯金５１の一端（図７中、左端）に当接して、弾性部材５６の付勢力に抗して、芯金５１の回転軸に沿って現像装置１１のフレア現像ローラ１１ＤＲを右方向に移動させる。これにより芯金５１は、図６中、移動距離ＤＬだけ移動されて、芯金５１の周面は、導電性の本体フレーム６１から物理的な接触を断たれることとなる。
【００５７】
このように、芯金５１が接点６２および本体フレーム６１から物理的に遮断されて、高圧電源部１１４の接点６２から電気的に遮断されると、高圧電源部１１４から供給されていたクラウドパルス信号は、現像装置１１のフレア現像ローラ１１ＤＲに供給されなくなり、当該現像装置１１は、非駆動状態となり、電力を消費しなくなるのである。上述した手順により、モノクロモードにおいては、現像装置１１Ｙ、１１Ｍ、１１Ｃが高圧電源部１１４から電気的に遮断されている期間中は、非駆動状態となり、消費電力の低減化を図ることとなる。
【００５８】
芯金５１は、ソレノイド６０が励磁によって鉄心６０ａを押し出し、フレア現像ローラ１１ＤＲを芯金５１ごと移動させる。なお、フレア現像ローラ１１ＤＲは芯金５１と一体となった回転部材であって、材質は磁気を帯びたマグネットローラであってもよい。
【００５９】
なお、上述した高圧出力端子の離間方法は、この限りではない。以下に具体例をあげて説明する。図８は、図７を基に芯金５１と接点６２の接点方式を平面接触から円形の回転部材２７を用いた曲面接触に置き換えたものである。図７で説明した接点６２による接触方式で行う場合は出力レベルをＧＮＤまたは、ＯＦＦレベル（本例ではＧＮＤレベル）とする出力シーケンス制御を行えばよい。
【００６０】
図９は、実施の形態にかかる画像形成装置の動作例（１）を示すフローチャートである。まず、画像形成装置１０３の第１制御基板部１１１は、情報端末装置１０１から印刷ジョブを受け取ると、印刷ジョブの実行を開始する（ステップＳ１１）。続いて、第１制御基板部１１１は、印刷ジョブに色情報が含まれているか否か、すなわち、印刷モードがモノクロモードであるかフルカラーモードであるかを判断する（ステップＳ１２）。
【００６１】
ステップＳ１２の判断において、印刷ジョブに色情報が含まれている場合、すなわち、印刷モードがフルカラーモードである場合には（ステップＳ１２；Ｙｅｓ）、スイッチング素子制御部１２３は、図５に示すブリッジ回路１２２中のＬ２およびＬ４がＯＮ状態であるかを判断する（ステップＳ１３）。ここで、当該Ｌ２およびＬ４がＯＦＦ状態である場合（ステップＳ１３；Ｎｏ)は、スイッチング素子制御部１２３は、当該Ｌ２およびＬ４がＯＮ状態となるまで、ループする。
【００６２】
切換制御部１２４は、これらをＡＮＤ条件にて判断し、Ｌ２およびＬ４がＯＮ状態であれば（ステップＳ１３；Ｙｅｓ）、図７に示すソレノイド６０をＯＮする（ステップＳ１４）。当該ソレノイド６０のＯＮ／ＯＦＦ動作によって、高圧出力端子の導通／絶縁の切替を行う。一方、ステップＳ１２の判断において、モノクロモードであった場合（ステップＳ１２；Ｎｏ）は、高圧出力の離間は行わないため、通常印刷と変わりないと判断し、印刷ジョブ終了の判断（ステップＳ１５）へ移行し、第１制御基板部１１１は、印刷ジョブ終了の判断を行う。ステップＳ１５の判断において、印刷ジョブが未だ終了していない場合には（ステップＳ１５；Ｎｏ）、第１制御基板部１１１は、待機状態となる。
【００６３】
ソレノイド６０は、非駆動状態（オフ状態）であるので、現像装置１１Ｋへのクラウドパルス信号の供給に加えて現像装置１１Ｃ、１１Ｍ、１１Ｙのフレア現像ローラ１１ＤＲへのクラウドパルス信号の供給が行われて、画像形成がなされる。
【００６４】
以上により、ブリッジ回路１２２がＶａ⇒Ｖｂに切り替わる間、Ｌ２およびＬ４を能動状態、すなわちＶｍｉｎ出力を最小値（ＧＮＤレベルを同位）にしておくことが可能となる。
【００６５】
図１０は、図８を正面視としたとき右後方から斜視した例を示す説明図である。ここでは前述のとおり、接点６２をはじめ接点形状が異なる構成となっており、本図に示すように駆動部２９を備え、回転駆動機能を備える。
【００６６】
ここで図１０のＡ視とした斜線部について説明する。接点６２に置き換わる回転部材２７は絶縁物質であり、例えばＡＢＳ樹脂やジュラコン（登録商標）で知られるポリアセタール樹脂などの絶縁性樹脂、またはゴム材であってもよい。
【００６７】
一方、同回転部材２７上には導電部材も備わる（Ａ視とした斜線部）。これが接点６２と同一機能を果たす。図１０では、図８に示す曲面接点２８にあたる。この曲面接点２８の形態は、樹脂に導電部材（曲面接点２８）を鋳込んだ一体成形を一例として挙げる。この形態により、駆動部２９からの回転駆動により接地場所が絶縁領域から導電領域へ変化する形をとる。
【００６８】
なお、上記の駆動部２９とは、回転駆動機能を有するものであり、本例ではステッピングモータとする。当該駆動部２９には回転駆動機能を有するものであれば、この限りではなく、直流ブラシモータ、直流ブラシレスモータなどであってもよい。さらに、接点６２に置きかわる回転部材２７の接点形状においても、当該曲面接点２８のみの形状でなくてもよい。
【００６９】
図１１は、実施の形態にかかる画像形成装置の動作例（２）を示すフローチャートであり、図８の構成例の動作を示すものである。まず、画像形成装置１０３の第１制御基板部１１１は、情報端末装置１０１から印刷ジョブを受け取ると、印刷ジョブの実行を開始する（ステップＳ２１）。続いて、第１制御基板部１１１は、印刷ジョブに色情報が含まれているか否か、すなわち、印刷モードがモノクロモードであるかフルカラーモードであるかを判断する（ステップＳ２２）。
【００７０】
ステップＳ２２の判断において、印刷ジョブに色情報が含まれている場合、すなわち、印刷モードがフルカラーモードである場合には（ステップＳ２２；Ｙｅｓ）、スイッチング素子制御部１２３は、図５に示すブリッジ回路１２２中のＬ２およびＬ４がＯＮ状態であるかを判断する（ステップＳ２３）。ここで、当該Ｌ２およびＬ４がＯＦＦ状態である場合（ステップＳ２３；Ｎｏ)は、スイッチング素子制御部１２３は、当該Ｌ２およびＬ４がＯＮ状態となるまで、ループする。
【００７１】
切換制御部１２４は、上記のＡＮＤ条件にて判断し、Ｌ２およびＬ４がＯＮ状態であれば（ステップＳ２３；Ｙｅｓ）、図８に示すソレノイド６０をＯＮするとともに、駆動部２９をＯＮする（ステップＳ２４）。駆動部２９のモータ駆動角度については、例えば４５度とする。この角度によって導通／絶縁の切り替えを行う。一方、ステップＳ２２の判断において、モノクロモードであった場合（ステップＳ２２；Ｎｏ）は、ソレノイド６０をＯＮ、駆動部２９をＯＦＦして（ステップＳ２６）、印刷ジョブ終了の判断（ステップＳ２５）へ移行し、第１制御基板部１１１は、印刷ジョブ終了の判断を行う。ステップＳ２５の判断において、印刷ジョブが未だ終了していない場合には（ステップＳ２５；Ｎｏ）、第１制御基板部１１１は、待機状態となる。
【００７２】
図１２は、三角法に準拠し、上述した回転部材２７に置き換わる接点形状の回転部材２７’を示している。本図の正面視３０より正方形を成したものであり、同図には斜線部（ハッチングなしの白部分）半分が絶縁領域、もう一方のハッチングで示す部分を導電領域とする。
【００７３】
本例では、回転部材２７’に前述同様、導電部材(当該曲面接点２８と同様のものがハッチング部分にあたる)を鋳込んだ一体成型を一例として挙げる。これにより、駆動部２９からの回転駆動により接地場所が絶縁領域から導電領域へ一次関数：ｙ＝ａｘ＋ｂと近似した変化量(ただし切片はゼロとする)で接触する方式をとる。ｙ軸は回転運動による進行方向を指し、ｘ軸は接地面積を指す。なお、回転部材２７’の接点の面積はこの限りではない。
【００７４】
図１３は、図１２の導電領域３０が半分としたものを表している。本図に示す正面視３０’のように、前述の正面視での導電領域３０の１／２の面積であっても１/３の面積であってもよい。このときは例えば傾き２の接触率とした場合を例に挙げる。この例では、正面視での導電領域３０よりも、接触率が半分になるため、通電率がより緩和傾向にすることができる。
【００７５】
ここで図８の回転部材２７に戻り、この回転部材２７がどのようなタイミングで駆動するのかについて説明する。図１４に示すタイミングチャートは、（Ａ）高圧出力レベルイメージ、（Ｂ）紙間検出信号、（Ｃ）高圧出力接離信号、（Ｄ）高圧出力のタイミングについて示している。当該高圧出力レベルの［１］、［２］、［３］は、記録紙の枚数を表している。つまり本例では３枚の記録紙で動作を表現している。当該高圧出力レベルイメージのハイレベルは作像部分、ローレベルは非画像部分と定義する。他、すべてハイレベルのときにアクティブとなる（高圧接離信号は除く）。次の紙間検出信号のハイレベルで当該高圧出力レベルの非画像部分と同期し、高圧出力接離信号をローレベルに切り替える。さらにそれに同期して高圧電源部１１４の高圧出力が紙間のみがＯＦＦされる。
【００７６】
さらに、本画像形成装置は、高圧電源部１１４の高圧出力が停止した後に次の高圧出力を行う際に、信号振幅率を変更する信号振幅率変更部１２５を備える（図４参照）。図１５に示すように、信号振幅率変更部１２５は、ＰＷＭ（Ｐｕｌｓｅ  Ｗｉｄｔｈ  Ｍｏｄｕｌａｔｉｏｎ；パルス幅変調）信号を用い、ＰＷＭ  ｄｕｔｙ（信号振幅率）を徐々に増加させ、高圧電源部１１４の高圧出力のソフトスタートを行う。図１５において、（Ａ）は高圧出力レベルイメージ、（Ｂ）は紙間検出信号、（Ｃ）はＰＷＭ信号、（Ｄ）は高圧出力である。紙間検出信号は、画像形成装置の給紙搬送路（不図示）上の記録紙を搬送センサ（不図示）で検出して得られる信号である。
【００７７】
この図１５では、仮に、高圧電源部１１４の出力離間することが不可能となってしまった場合の回避例として示す。この場合は、出力を上記紙間検出信号で停止するものであり、前述のものとは、無関係である。信号振幅率変更部１２５は、ＰＷＭ  ｄｕｔｙ（信号振幅率）を徐々に増加させ、高圧出力をソフトスタートさせることで、接点部分の放電を抑制することができる。
【００７８】
以上の説明したように、本実施の形態によれば、作像シーケンスに同期して、フルカラーモードでのみ使用される現像装置１１Ｃ、１１Ｍ、１１Ｙには、モノクロモードにおいて、高圧電源部１１４を電気的に遮断するので、高圧電源部１１４を停止することなく、印刷モードを切り替えることが可能となっている。
【００７９】
また、現像装置１１Ｃ、１１Ｍ、１１Ｙに対して、高圧電源部１１４からの出力を遮断する際には、機械的接点を用いているため、簡易な構成で出力を遮断できるとともに、確実に高圧電源部１１４からの出力を遮断して、確実に消費電力の低減が図れる。さらに、高圧電源系統は１系統だけであるので、各現像装置１１Ｋ、１１Ｃ、１１Ｍ、１１Ｙに対してそれぞれ高圧電源部を設ける場合（図１６に示すように高圧電源系統は４系統の場合）と比較して、現像用高圧電源部の軽量化、消費電力の低減を図ることができる。
【００８０】
ところで、本実施の形態で実行されるプログラムは、ＲＯＭ１２０ｂに予め組み込まれて提供するものとしているが、これに限定されるものではない。本実施の形態で実行されるプログラムを、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供してもよい。
【００８１】
また、本実施の形態で実行されるプログラムを、インターネット等のネットワークに接続されたコンピュータ上に格納し、ネットワーク経由でダウンロードさせることにより提供するように構成してもよい。また、本実施の形態で実行されるプログラムをインターネット等のネットワーク経由で提供または配布するように構成してもよい。
【００８２】
本実施の形態で実行されるプログラムは、上述したスイッチング素子制御部１２３、切換制御部１２４、信号振幅率変更部１２５を含むモジュール構成となっており、実際のハードウェアとしてはＣＰＵ１２０ａ（プロセッサ）が上記記録媒体からプログラムを読み出して実行することにより上記各部がメモリ等の主記憶装置上にロードされ、スイッチング素子制御部１２３、切換制御部１２４、信号振幅率変更部１２５が主記憶装置上に生成されるようになっている。
【００８３】
このように上述した実施の形態によれば、高圧出力が停止レベルのときに出力接点を離間するシーケンスを備えるので、高圧出力時における接点の離間動作時に発生する放電ノイズを抑えることができる。また、上記シーケンスを行うことで、画像への影響をなくすので、高圧出力時における接点の離間動作時に発生する放電ノイズを抑えることができる。さらに、制御信号１本で４出力とする構成でモノクロモード（１出力）／フルカラーモード（４出力）とする手段が機械的接点なので、高圧出力時における接点の離間動作時に発生する放電ノイズを抑えることができる。
【００８４】
また、上記実施の形態では、画像形成装置を、コピー機能、プリンタ機能、スキャナ機能およびファクシミリ機能のうち少なくとも２つの機能を有する複合機に適用した例を挙げて説明したが、複写機、プリンタ、ファクシミリ装置等の画像形成装置であればいずれにも適用することができる。
【００８５】
また、本発明は、当該発明を実施するための形態で述べた実施の形態に限定されるものではない。本発明の主旨をそこなわない範囲で変更することが可能である。
【符号の説明】
【００８６】
１１  現像装置
１１ＤＲ  フレア現像ローラ
２７  回転部材
６０  ソレノイド
１０３  画像形成装置
１１３  第３制御基板
１１４  高圧電源部
１２０ａ  ＣＰＵ
１２１  高圧変換部
１２２  ブリッジ回路
１２３  スイッチング素子制御部
１２４  切換制御部
１２５  信号振幅率変更部
１２６  出力接点接離部
１２６ａ，１２６ｂ，１２６ｃ  接離スイッチ
１６Ｂｋ，１７Ｃ，１８Ｍ，１９Ｙ  ローラ負荷
【先行技術文献】
【特許文献】
【００８７】
【特許文献１】特開２０１０−０４４１６７号公報
【特許文献２】特許第３２２６６２９号公報
【図１】
2013160861.tif 000003
【図２】
2013160861.tif 000004
【図３】
2013160861.tif 000005
【図４】
2013160861.tif 000006
【図５】
2013160861.tif 000007
【図６】
2013160861.tif 000008
【図７】
2013160861.tif 000009
【図８】
2013160861.tif 000010
【図９】
2013160861.tif 000011
【図１０】
2013160861.tif 000012
【図１１】
2013160861.tif 000013
【図１２】
2013160861.tif 000014
【図１３】
2013160861.tif 000015
【図１４】
2013160861.tif 000016
【図１５】
2013160861.tif 000017
【図１６】
2013160861.tif 000018